(57)【要約】【課題】落下による園芸用結束機の変形を防止する。【解決手段】園芸用結束機１のクリンチャアーム３の前面に衝撃吸収カバー１７を装着する。衝撃吸収カバー１７はゴムや樹脂などの衝撃吸収素材で形成され、落下時に衝撃を受ける可能性が最も高いクリンチャアームを保護する。クリンチャアームの内側に装着される内面カバーフレーム１８に熱処理を施すとともに、クリンチャアームと内面カバーフレームの両側壁のピン穴に溝付きスプリングピン１９を圧入してクリンチャアームを補強する。【選択図】  図１
2004173566.tif 000002
【特許請求の範囲】
【請求項１】
手持ち形園芸用結束機であってクリンチャアームとドライバハンドルを軸にて結合したステープラ式の園芸用結束機において、クリンチャアームの前面にゴムやプラスチックなどの衝撃吸収カバーを装着したことを特徴とする園芸用結束機。
【請求項２】
上記衝撃吸収カバーとクリンチャアームの前面とに間隙を設け、衝撃吸収カバーの変形を許容するように形成した請求項１記載の園芸用結束機。
【請求項３】
手持ち形園芸用結束機であってクリンチャアームとドライバハンドルを軸にて結合したステープラ式の園芸用結束機において、クリンチャアーム及びクリンチャアーム内に嵌合するアングル形断面の内面カバーフレームの両側壁にピン或いはバーなどの補強部材を架設してクリンチャアームを補強したことを特徴とする園芸用結束機。
【請求項４】
上記内面カバーフレームに熱処理を施して強度を向上させた請求項３記載の園芸用結束機。
【発明の詳細な説明】
【０００１】
【発明の属する技術分野】
この発明は、園芸用結束機に関するものであり、特に、落下時の破損を防止した園芸用結束機に関するものである。
【０００２】
【従来の技術及び発明が解決しようとする課題】
葡萄或いは胡瓜、メロン、トマト等の蔓性農作物の栽培においてテープを用いてこれらの植物の蔓や枝を支柱や棚に結束する園芸用結束機が知られている（例えば特許文献１参照）。
【０００３】
図６に示すように、園芸用結束機１はドライバハンドル２とクリンチャアーム３と下ハンドル４をプライヤー形に組合わせた手持ち工具であり、ドライバハンドル２には手動式のステープラと同様にステープルマガジン５が組み合わされており、ドライバハンドル２の後部にテープマガジン６が取付けられている。
【０００４】
クリンチャアーム３は先端部がＬ形に屈曲した形状であり、テープの先端を掴むテープ把持装置７とクリンチャ８とが先端部に配置されていて先端部に質量が集中しているので、園芸用結束機１全体の重心が前部に寄っている。したがって、園芸用結束機１を誤って落とすと、図６に示すようにクリンチャアーム３の先端を下にして落下し、クリンチャアーム３の先端面が地面や舗装面に衝突する。そして、落下時の衝撃が大きい場合は、クリンチャアーム３のＬ形先端部が枢軸側へ曲がってしまうことがある。
【０００５】
図７は園芸用結束機１の結束直前の状態を示し、ドライバハンドル２側のドライバ９が図示の状態からさらに下降してステープルマガジン５内のステープル（図示せず）をクリンチャ８へ押し付け、テープＴを貫通したステープルがクリンチャ８に当たって折り曲げられてテープが綴じられる。これと同時にカッター刃１０がクリンチャアーム３側のテープ支えプレート１１の端面でテープＴを切断して支柱Ｐと農作物の蔓Ｖが結束される。しかし、落下によりクリンチャアーム３が変形した場合は、クリンチャ８とドライバ９との位置がずれてテープＴを綴じることができなくなるとともに、カッター刃１０とテープ支えプレート１１とに隙間が生じてテープＴを切断できなくなってしまう。そこで、落下事故によるクリンチャアームの変形を防止するために解決すべき技術的課題が生じてくるのであり、本発明は上記課題を解決することを目的とする。
【０００６】
【特許文献１】特開２００１−５５２０３号公報
【０００７】
【課題を解決するための手段】
この発明は、上記目的を達成するために提案するものであり、手持ち形園芸用結束機であってクリンチャアームとドライバハンドルを軸にて結合したステープラ式の園芸用結束機において、クリンチャアームの前面にゴムやプラスチックなどの衝撃吸収カバーを装着したことを特徴とする園芸用結束機を提供するものである。
【０００８】
また、上記衝撃吸収カバーとクリンチャアームの前面とに間隙を設け、衝撃吸収カバーの変形を許容するように形成した園芸用結束機を提供するものである。
また、手持ち形園芸用結束機であってクリンチャアームとドライバハンドルを軸にて結合したステープラ式の園芸用結束機において、クリンチャアーム及びクリンチャアーム内に嵌合するアングル形断面の内面カバーフレームの両側壁にピン或いはバーなどの補強部材を架設してクリンチャアームを補強したことを特徴とする園芸用結束機を提供するものである。
【０００９】
また、上記内面カバーフレームに熱処理を施して強度を向上させた園芸用結束機を提供するものである。
【００１０】
【発明の実施の形態】
以下、この発明の実施の一形態を図に従って詳述する。図１は園芸用結束機１を示し、本体構造は図６に示したものと同一であり、２はドライバハンドル、３はクリンチャアーム、４は下ハンドルであり、ドライバハンドル２にステープルマガジン５が組み合わされており、ドライバハンドル２の後部にテープマガジン６が取付けられている。テープマガジン６に装填した結束用のテープＴは、ドライバハンドル２の上面に装着したテープガイド１２の中を通してテープガイド１２の先端から引出し、ステープルマガジン５の先端の垂直テープガイド１３へ通して下方へ垂下させる。ドライバハンドル２とステープルマガジン５は後部の軸１４にて連結されており、通常のステープラと同様にドライバハンドル２に対してステープルマガジン５は僅かな角度範囲で回転が可能になっている。ドライバハンドル２は先端にノッチ刃形状のカッター刃１０が取付けられており、カッター刃１０のやや後方にはステープルを射出するためのドライバ９が取付けられている。
【００１１】
クリンチャアーム３の先端部内にはテープ把持装置７が配置されており、テープ把持装置７の手前にクリンチャ８が配置されている。テープ把持装置７は溝カムを用いたプッシュ式ロック機構によりピッキングプレート１５を開閉動作させるものであり、ドライバハンドル２と下ハンドル４を握ってドライバハンドル２とクリンチャアーム３を閉じると、ドライバハンドル２側のステープルマガジン５によりテープ把持装置７のプッシュレバー１６が下方へ押し下げられてハートループ形溝カムの作用により下降位置でロックされ、プッシュレバー１６が下降することによってピッキングプレート１５のロックが解除される。ロックを解除されたピッキングプレート１５はバネの力によって手前側へ回動し、上端の鋭角爪部がテープＴに刺さってピッキングプレート１５とテープ支えプレート１１とによりテープＴを挟む。そして、ドライバハンドル２とクリンチャアーム３を開くと、ドライバハンドル２側からテープＴが引出されてドライバハンドル２とクリンチャアーム３の先端の間にテープＴが張られる。
【００１２】
この状態で園芸用結束機１を前方へ移動して、ドライバハンドル２とクリンチャアーム３との間に支柱と農作物の蔓を入れれば支柱と蔓とにテープが掛け回され（図７を参照のこと）、再びドライバハンドル２とクリンチャアーム３を閉じると、ドライバ９がステープルマガジン５内のステープルをクリンチャ８へ向けて射出してテープループの重なり部を綴じるとともに、ドライバハンドル２側のカッター刃１０がテープ支えプレート１１の前面位置でテープを切断し、支柱Ｐと蔓Ｖとが結束される。このとき、プッシュレバー１６がステープルマガジン５によって下方へ押し下げられてプッシュレバー１６のロックが解除され、プッシュレバー１６が上昇しつつピッキングプレート１５を後退させて初期状態に復帰する。
【００１３】
続いて、園芸用結束機１を保護する衝撃吸収カバー１７について説明する。衝撃吸収カバー１７はクリンチャアーム３の先端上部に取付けられており、図２及び図３に示すようにクリンチャアーム３の前面及び側面を覆っている。衝撃吸収カバー１７はゴムやポリカーボネートなどのように耐衝撃性の高い材質を用いた部品で、クリンチャアーム３の前面と衝撃吸収カバー１７の内壁面とに空間を設けてあり、園芸用結束機１が落下したときに、地面に衝突した衝撃吸収カバー１７の前面部が左右に膨らんで衝撃を吸収し、クリンチャアーム３の前面へ直接に衝撃が加わらないようにしている。また、衝撃吸収カバー１７の素材としてはノーソレックスゴムやソルボセイン（登録商標）などの衝撃吸収素材やシリコンゲル封入ゴムを用いてもよく、ソルボセインやシリコンゲル封入ゴムなどのように軟質で変形量の多いものの場合はクリンチャアーム３の前面と衝撃吸収カバー１７の内壁面とに空間を設けなくてもよい。
【００１４】
次にクリンチャアーム３の補強について説明する。クリンチャアーム３の内側には断面がクリンチャアーム３と相似形の内面カバーフレーム１８が装着されているが、この内面カバーフレーム１８に熱処理を施して高強度化するとともに、図４に示すようにクリンチャアーム８と内面カバーフレーム１８の両側壁面に形成したピン穴に溝付きスプリングピン１９を圧入し、溝付きスプリングピン１９のバネ力によってクリンチャアーム３及び内面カバーフレーム１８の側面間隔の変動を防止している。これにより、落下時の衝撃によりクリンチャアーム３の側壁が外側へ開いてクリンチャアーム３が変形する虞が殆どなくなり、衝撃吸収カバー１７の衝撃吸収効果と相俟ってクリンチャアーム３の耐衝撃性が大きく向上する。
【００１５】
図５は他の実施形態を示し、溝付きスプリングピン１９に代えてメネジ穴を有するピン２０と止めネジ２１を用いており、内面カバーフレーム１８の側壁間にピン２０を架設し、クリンチャアーム３の外側からピン２０の両端に止めネジ２１を締め付けてクリンチャアーム３と内面カバーフレーム１８を補強している。尚、上記の補強部材はピンに限定されず、チャネル形断面の板状バーなどであってもよい。
【００１６】
また、クリンチャアーム３の補強に関しては、クリンチャアーム３自体に熱処理を施したり、クリンチャアーム３と内面カバーフレーム１８とをスポット溶接したりする方法が考えられるが、これらの方法ではクリンチャアームに熱による歪みが発生するので機械的精度を保つことが難しくなる欠点がある。また、クリンチャアーム３の板厚や側壁部分の高さを増加して強度向上を図る方法は、大型化と重量の増加を招くという欠点があるが、本発明における補強手段には上記の欠点はみられず補強手段としての優位性は明らかである。
【００１７】
尚、この発明は上記の実施形態に限定するものではなく、この発明の技術的範囲内において種々の改変が可能であり、この発明がそれらの改変されたものに及ぶことは当然である。
【００１８】
【発明の効果】
園芸用結束機はその重量バランスの関係上、落下したときにクリンチャアームの前面が地面に衝突することが多いが、本発明の園芸用結束機はクリンチャアームの前面に衝撃吸収カバーを設けたので、落下時にクリンチャアームに加わる衝撃が減殺されてクリンチャアームの変形の虞が減少する。また、クリンチャアーム及びクリンチャアームの内部に装着した内面カバーフレームの両側壁間にピンなどの補強部材を架設してクリンチャアームを補強することにより、クリンチャアームの耐衝撃性が向上する。また、内面カバーフレームに熱処理を施すことにより、重量の増加や機械的精度の低下をもたらすことなく強度をさらに向上させることができる。
【図面の簡単な説明】
【図１】本発明の実施の一形態を示し、園芸用結束機の一部破断側面図。
【図２】本発明の実施の一形態を示し、園芸用結束機の一部破断側面図。
【図３】図１のＡ−Ａ線矢視断面図。
【図４】図１のＢ−Ｂ線矢視断面図。
【図５】他の実施形態を示し、図４と同一箇所の断面図。
【図６】従来例を示し、園芸用結束機の側面図。
【図７】園芸用結束機の結束機構部の動作を示す側面断面図。
【符号の説明】
１            園芸用結束機
２            ドライバハンドル
３            クリンチャアーム
４            下ハンドル
５            ステープルマガジン
６            テープマガジン
７            テープ把持装置
８            クリンチャ
９            ドライバ
１０            カッター刃
１１            テープ支えプレート
１２            テープガイド
１３            垂直テープガイド
１４            軸
１５            ピッキングプレート
１６            プッシュレバー
１７            保護装置
１８            内面カバーフレーム
１９            溝付きスプリングピン
２０            ピン
２１            止めネジ
【図１】
2004173566.tif 000003
【図２】
2004173566.tif 000004
【図３】
2004173566.tif 000005
【図４】
2004173566.tif 000006
【図５】
2004173566.tif 000007
【図６】
2004173566.tif 000008
【図７】
2004173566.tif 000009